(57)【要約】【課題】キャリアテープの収納凹部に横から電子部品を挿入する方法に適した電子部品収納テープ用のキャリアテープを提供する。【解決手段】キャリアテープ１０は、帯状のテープ本体１１と、電子部品ＥＣを収納可能な長さＬ１、幅Ｗ１および深さＤ１を有し、かつ、テープ本体１１に長さ方向に等間隔で設けられた収納凹部１２ａとを有している。テープ本体１１における収納凹部１２ａの幅方向一側には、テープ本体１１の上面から収納凹部１２ａの幅方向一側面に向かって深さＤ２が増加し、かつ、収納凹部１２ａと連続する形態の案内凹部１２ｂが設けられている。【選択図】図２
2018024473.tif 000002
【特許請求の範囲】
【請求項１】
電子部品収納テープ用のキャリアテープであって、
前記キャリアテープの長手方向を長さ方向とし、短手方向を幅方向とし、これら方向と直交する方向を高さ方法とするとともに、長さ方向に沿う寸法を長さとし、幅方向に沿う寸法を幅とし、高さ方向に沿う寸法を高さまたは深さとしたとき、
前記キャリアテープは、帯状のテープ本体と、電子部品を収納可能な長さ、幅および深さを有し、かつ、前記テープ本体に長さ方向に等間隔で設けられた収納凹部とを有しており、
前記テープ本体における前記収納凹部の幅方向一側には、前記テープ本体の上面から前記収納凹部の幅方向一側面に向かって深さが増加し、かつ、前記収納凹部と連続する形態の案内凹部が設けられている、
電子部品収納テープ用のキャリアテープ。
【請求項２】
前記案内凹部の最大深さは、前記収納凹部の深さよりも小さい、
請求項１に記載の電子部品収納テープ用のキャリアテープ。
【請求項３】
前記電子部品は、前記収納凹部の幅に対応した第１寸法と前記収納凹部の長さに対応した第２寸法と前記収納凹部の深さに対応した第３寸法とを有しており、
前記案内凹部の最大深さは、前記電子部品の第３寸法の１／４〜３／４の範囲内で設定されている、
請求項１または２に記載の電子部品収納テープ用のキャリアテープ。
【請求項４】
前記案内凹部は、前記テープ本体の上面から前記収納凹部の幅方向一側面に向かって長さが減少する形態を有している、
請求項１〜３のいずれか１項に記載の電子部品収納テープ用のキャリアテープ。
【請求項５】
前記電子部品は、前記収納凹部の幅に対応した第１寸法と前記収納凹部の長さに対応した第２寸法と前記収納凹部の深さに対応した第３寸法とを有しており、
前記案内凹部の最大長さは、前記電子部品の第２寸法の１．１倍〜１．５倍の範囲内で設定されている、
請求項４に記載の電子部品収納テープ用のキャリアテープ。
【請求項６】
前記案内凹部の最小長さは、前記収納凹部の長さと一致している、
請求項４または５に記載の電子部品収納テープ用のキャリアテープ。
【請求項７】
電子部品収納テープであって、
請求項１〜６のいずれか１項に記載のキャリアテープと、
前記キャリアテープの前記収納凹部に収納された前記電子部品と、
前記電子部品が収納された前記収納凹部の上端開口を塞ぐように前記キャリアテープの上面一部を覆うカバーテープとを備えている、
電子部品収納テープ。
【請求項８】
電子部品収納テープの製造方法であって、
請求項１〜６のいずれか１項に記載のキャリアテープを用意するステップと、
前記キャリアテープの前記収納凹部に前記電子部品を収納するステップと、
前記電子部品が収納された前記収納凹部の上端開口を塞ぐように前記キャリアテープの上面一部をカバーテープによって覆うステップとを備えている、
電子部品収納テープの製造方法。
【発明の詳細な説明】
【技術分野】
【０００１】
本発明は、電子部品収納テープ用のキャリアテープと、このキャリアテープを使用した電子部品収納テープと、この電子部品収納テープの製造方法に関する。
【背景技術】
【０００２】
従前の電子部品収納テープ用のキャリアテープは、帯状のテープ本体に略直方体状の多数の収納凹部が長さ方向に等間隔で設けられ、かつ、略円状の多数の送り孔が長さ方向に等間隔で設けられた構造を有している（例えば後記特許文献１〜３を参照）。
【０００３】
また、前記キャリアテープの各収納凹部への電子部品の挿入は、一般に、ボウルフィーダによって整列された略直方体状の電子部品をリニアフィーダを介して挿入機に順次供給し、かつ、キャリアテープを挿入機の下側で間欠移動させ、挿入機に供給された電子部品をキャリアテープが停止したタイミングで下方移動させて収納凹部に挿入する方法によって行われている。
【０００４】
ところで、前記方法のようにキャリアテープの収納凹部に上から電子部品を挿入するには、挿入前の電子部品の２次元位置と、電子部品が挿入される収納凹部の２次元位置とを、上から見て整合させる必要がある。そのため、最近では、挿入時の相互位置の管理を簡便化するため、キャリアテープの収納凹部に横から電子部品を挿入する方法が検討されている。
【０００５】
しかしながら、先に述べた従前のキャリアテープは、キャリアテープの収納凹部に上から電子部品を挿入することを前提とした構造にあるため、キャリアテープの収納凹部に横から電子部品を挿入する方法に適しているとは言いがたい。
【先行技術文献】
【特許文献】
【０００６】
【特許文献１】特開２０１２−０８１９９７号公報
【特許文献２】特開２００６−１６０３６９号公報
【特許文献３】特開２００２−２４０８５１号公報
【発明の概要】
【発明が解決しようとする課題】
【０００７】
本発明が解決しようとする課題は、キャリアテープの収納凹部に横から電子部品を挿入する方法に適した電子部品収納テープ用のキャリアテープと、このキャリアテープを使用した電子部品収納テープと、この電子部品収納テープの製造方法を提供することにある。
【課題を解決するための手段】
【０００８】
前記課題を解決するため、本発明に係る電子部品収納テープ用のキャリアテープは、キャリアテープの長手方向を長さ方向とし、短手方向を幅方向とし、これら方向と直交する方向を高さ方法とするとともに、長さ方向に沿う寸法を長さとし、幅方向に沿う寸法を幅とし、高さ方向に沿う寸法を高さまたは深さとしたとき、キャリアテープは、帯状のテープ本体と、電子部品を収納可能な長さ、幅および深さを有し、かつ、テープ本体に長さ方向に等間隔で設けられた収納凹部とを有しており、テープ本体における収納凹部の幅方向一側には、テープ本体の上面から収納凹部の幅方向一側面に向かって深さが増加し、かつ、収納凹部と連続する形態の案内凹部が設けられている。
【０００９】
また、本発明に係る電子部品収納テープは、前述のキャリアテープと、キャリアテープの収納凹部に収納された電子部品と、電子部品が収納された収納凹部の上端開口を塞ぐようにキャリアテープの上面一部を覆うカバーテープとを備えている。
【００１０】
さらに、本発明に係る電子部品収納テープの製造方法は、前述のキャリアテープを用意するステップと、キャリアテープの収納凹部に電子部品を収納するステップと、電子部品が収納された収納凹部の上端開口を塞ぐようにキャリアテープの上面一部をカバーテープによって覆うステップとを備えている。
【発明の効果】
【００１１】
本発明によれば、キャリアテープの収納凹部に横から電子部品を挿入する方法に適した電子部品収納テープ用のキャリアテープと、このキャリアテープを使用した電子部品収納テープと、この電子部品収納テープの製造方法を提供することができる。
【図面の簡単な説明】
【００１２】
【図１】図１は本発明の第１実施形態に係るキャリアテープの部分上面図である。
【図２】図２は図１のＳ１−Ｓ１線に沿う断面図である。
【図３】図３（Ａ）〜図３（Ｃ）は図１および図２に示したキャリアテープの収納凹部に横から電子部品を挿入する方法の一例を示す図である。
【図４】図４は図１および図２に示したキャリアテープを使用した電子部品収納テープの部分上面図である。
【図５】図５は本発明の第２実施形態に係るキャリアテープの図２対応図である。
【図６】図６は図５に示したキャリアテープの収納凹部に横から電子部品を挿入する方法の一例を示す図である。
【図７】図７は本発明の第３実施形態に係るキャリアテープの図２対応図である。
【発明を実施するための形態】
【００１３】
以下の説明では、便宜上、後記キャリアテープ１０の長手方向（図１の左右方向）を長さ方向と表記し、短手方向（図１の上下方向）を幅方向と表記し、これら方向と直交する方向（図２の上下方向）を高さ方向と表記するとともに、長さ方向に沿う寸法を長さと表記し、幅方向に沿う寸法を幅と表記し、高さ方向に沿う寸法を高さまたは深さと表記する。
【００１４】
《第１実施形態》
図１および図２は、本発明の第１実施形態に係るキャリアテープ１０を示す。
【００１５】
図１および図２に示したキャリアテープ１０は、エンボス加工タイプであり、その材料は例えばポリスチレン、ポリカーボネイト、ポリエチレンテレフタレート、ポリプロピレン等である。エンボス加工の方式には特段の制限はなく、例えば圧空成形、プレス成形、真空ロータリー成形（真空ドラム成形）等が適宜採用できる。
【００１６】
キャリアテープ１０は、（１）幅Ｗの帯状のテープ本体１１と、（２）テープ本体１１の幅方向一端縁１１ａに近い位置に、長さ方向に等間隔（ピッチＰ１）で設けられた多数の部品収納部１２と、（３）テープ本体１１の幅方向他端縁１１ｂに近い位置に、長さ方向に等間隔（ピッチＰ２）で設けられた略円状の多数の送り孔１３と、を有している。キャリアテープ１０の高さＨは、後記収納凹部１２ａの深さＤ１にテープ本体１１の厚さｔを加えた値に相当する。ちなみに、テープ本体１１の幅Ｗと厚さｔに特段の制限はないが、一例をあげれば幅Ｗが８ｍｍの場合の厚さｔは概ね０．１５〜０．４ｍｍの範囲内にある。
【００１７】
また、キャリアテープ１０における各部品収納部１２の幅方向一端縁（図１の下側端縁）とテープ本体１１の幅方向一端縁１１ａとの間には、幅Ｗｍのマージン部（符号省略）が存在する。このマージン部は、テープ本体１１の上面にカバーテープ２０（図４を参照）を付着するときに利用される領域である。
【００１８】
各部品収納部１２は、収納凹部１２ａと、この収納凹部１２ａの幅方向一側に設けられた案内凹部１２ｂとによって構成されている。
【００１９】
収納凹部１２ａは、電子部品ＥＣ（図３および図４を参照）を収納可能な長さＬ１、幅Ｗ１および深さＤ１を有する略直方体状を成している。この収納凹部１２ａは、底面１２ａ１と、４つの側面１２ａ２（幅方向で向き合う２側面と長さ方向で向き合う２側面）とによって構成されている。図１および図２には現れていないが、実際の４つの側面１２ａ２それぞれにはエンボス加工時の抜きテーパーに相当する０．２〜１０度程度の傾きがある。ちなみに、電子部品ＥＣは、略直方体状であり、収納凹部１２ａの長さＬ１に対応した第１寸法（符号省略）と、収納凹部１２ａの幅Ｗ１に対応した第２寸法（符号省略）と、収納凹部の深さＤ１に対応した第３寸法（符号省略）を有している。
【００２０】
収納凹部１２ａの幅Ｗ１は電子部品ＥＣの第１寸法よりも僅かに大きく、収納凹部１２ａの長さＬ１は電子部品ＥＣの第２寸法よりも僅かに大きく、収納凹部１２ａの深さＤ１は電子部品ＥＣの第３寸法よりも僅かに大きい。また、収納凹部１２ａの４つの側面１２ａ２のうちの案内凹部１２ｂ側の幅方向一側面（図２の左側側面）の高さは、深さＤ１から案内凹部１２ｂの深さＤ２の最大値を減じた値に相当する。
【００２１】
案内凹部１２ｂは、略５面体状を成しており、電子部品ＥＣを収納凹部１２ａに案内する部分である。この案内凹部１２ｂは、底面１２ｂ１と、２つの側面１２ｂ２（長さ方向で向き合う２側面）とによって構成されている。図１および図２には現れていないが、実際の２つの側面１２ｂ２それぞれにはエンボス加工時の抜きテーパーに相当する０．２〜１０度程度の傾きがある。
【００２２】
図１および図２から分かるように、案内凹部１２ｂは、テープ本体１１の上面から収納凹部１２ａの４つの側面１２ａ２のうちの幅方向一側面（図２の左側側面）に向かって深さＤ２が増加し、かつ、収納凹部１２ａと連続する形態を有するとともに、テープ本体１１の上面から収納凹部１２ａの幅方向一側面（図２の左側側面）に向かって長さＬ２が減少する形態を有している。
【００２３】
案内凹部１２ｂの幅Ｗ２に特段の制限はないが、収納凹部１２ａの深さＤ２の最大値を考慮のうえで、底面１２ｂ１の傾斜角度が１５〜３０度の範囲内になるように幅Ｗ２を設定することが好ましい。また、案内凹部１２ｂの長さＬ２の最小値は、収納凹部１２ａの長さＬ１と一致している。長さＬ２の最大値は電子部品ＥＣの第２寸法よりも大きければよいが、電子部品ＥＣの第２寸法の１．１倍〜１．５倍の範囲内で設定することが好ましい。さらに、案内凹部１２ｂの深さＤ２の最大値は収納凹部１２ａの深さＤ１よりも小さければよいが、電子部品ＥＣの第３寸法の１／４〜３／４の範囲内で設定することが好ましい。
【００２４】
図３は、図１および図２に示したキャリアテープ１０の収納凹部１２ａに横から電子部品ＥＣを挿入する方法の一例を示す。この挿入方法はあくまでも一例であって、キャリアテープ１０の収納凹部１２ａに横から電子部品ＥＣを挿入する方法を制限するものではない。
【００２５】
図３のＴＧはテープガイド、ＴＧａはガイド溝、ＩＧは部品ガイド、ＩＧａは部品通路である。テープガイドＴＧの上面は、キャリアテープ１０の収納凹部１２ａおよび案内凹部１２ｂを除く部分の下面を支えており、ガイド溝ＴＧａの内面は、収納凹部１２ａと案内凹部１２ｂの下面を支えている。一方、部品ガイドＩＧの下面は、キャリアテープ１０の長さ方向の間欠移動を妨げず、かつ、キャリアテープ１０の上下方向の変位を抑止できる程度のクリアランスを介して、キャリアテープ１０の上面と向き合っている。また、部品通路ＩＧａの横断面形は電子部品ＥＣの第２寸法および第３寸法よりも僅かに大きな矩形であり、案内凹部１２ｂの底面１２ｂ１の傾斜角度に見合った傾きを有している。
【００２６】
図３（Ａ）に示したように、キャリアテープ１０の収納凹部１２ａに横から電子部品ＥＣを挿入するときには、ボウルフィーダ（図示省略）によって整列された電子部品ＥＣをリニアフィーダ（図示省略）を介して、部品通路ＩＧａに送り込む。部品通路ＩＧａに送り込まれた電子部品ＥＣは、部品通路ＩＧａの傾きにしたがって滑動し、案内凹部１２ｂに送り込まれる。そして、図３（Ｂ）に示したように、案内凹部１２ｂに送り込まれた電子部品ＥＣは、底面１２ｂ１の傾きにしたがって滑動し、収納凹部１２ａに送り込まれる。
【００２７】
先に述べたように案内凹部１２ｂはテープ本体１１の上面から収納凹部１２ａの幅方向一側面（図３（Ｂ）の左側側面）に向かって長さＬ２が減少する形態を有しているため、案内凹部１２ｂに送り込まれた直後の電子部品ＥＣの姿勢に乱れがある場合でも、この姿勢の乱れは案内凹部１２ｂを移動する過程で矯正される。また、案内凹部１２ｂの長さＬ２の最小値が収納凹部１２ａの長さＬ１と一致しているため、姿勢矯正後の電子部品ＥＣは案内凹部１２ｂから収納凹部１２ａにスムースに送り込まれる。
【００２８】
図３（Ｃ）に示したように、収納凹部１２ａに送り込まれた電子部品ＥＣは、その先端が収納凹部１２ａの幅方向他側面（図３（Ｃ）の右側側面）に接したところで、その下面が収納凹部１２ａの底面１２ａ１に接するように傾き、これにより電子部品ＥＣが収納凹部１２ａに挿入される。案内凹部１２ｂの深さＤ２の最大値が収納凹部１２ａの深さＤ１よりも小さいため、収納凹部１２ａに収納された後の電子部品ＥＣが外力によって振動しても、電子部品ＥＣの一部が案内凹部１２ｂに入り込んで収納姿勢が大きく乱れるといった不具合を生じることはない。
【００２９】
なお、電子部品ＥＣの質量が小さいことやサイズが小さいこと等を原因として、案内凹部１２ｂにおける電子部品ＥＣの滑動や案内凹部１２ｂから収納凹部１２ａへの電子部品ＥＣの送り込みがスムースに行われないときには、部品ガイドＩＧの部品通路ＩＧａが存しない部分（図３（Ａ）の右側部分）の下面とキャリアテープ１０の上面とのクリアランス、あるいは、部品ガイドＩＧの前記部分に別途設けた吸引通路を通じて部品通路ＩＧａに負圧を作用させ、この負圧によって部品通路ＩＧａ内の電子部品ＥＣを案内凹部１２ｂおよび収納凹部１２ａに引き込むようにするとよい。
【００３０】
前述のとおり、収納凹部１２ａの幅方向一側に、テープ本体１１の上面から収納凹部１２ａの幅方向一側面に向かって深さＤ２が増加し、かつ、収納凹部１２ａと連続する形態の案内凹部１２ｂが設けられているため、この案内凹部１２ｂを利用して、キャリアテープ１０の収納凹部１２ａに横から電子部品ＥＣを挿入する方法を適切に行うことができる。
【００３１】
また、案内凹部１２ｂの深さＤ２の最大値が、収納凹部１２ａの深さＤ１よりも小さいため、収納凹部１２ａに収納された後の電子部品ＥＣが外力によって振動しても、電子部品ＥＣの一部が案内凹部１２ｂに入り込んで収納姿勢が大きく乱れるといった不具合を生じることはない。
【００３２】
さらに、案内凹部１２ｂが、テープ本体１１の上面から収納凹部１２ａの幅方向一側面に向かって長さＬ２が減少する形態を有しているため、案内凹部１２ｂに送り込まれた直後の電子部品ＥＣの姿勢に乱れがある場合でも、この姿勢の乱れを案内凹部１２ｂを移動する過程で矯正することができる。しかも、案内凹部１２ｂの長さＬ２の最小値が収納凹部１２ａの長さＬ１と一致しているため、姿勢矯正後の電子部品ＥＣを案内凹部１２ｂから収納凹部１２ａにスムースに送り込むことができる。
【００３３】
図４は、図１および図２に示したキャリアテープ１０を使用した電子部品収納テープ３０を示す。
【００３４】
図４に示した電子部品収納テープ３０は、キャリアテープ１０の各収納凹部１２ａに電子部品ＥＣが収納されており、電子部品ＥＣが収納された各収納凹部１２ａの上端開口を塞ぐようにキャリアテープ１１の上面一部が帯状のカバーテープ２０によって覆われている。つまり、この電子部品収納テープ３０は、キャリアテープ１０の各収納凹部１２ａに電子部品ＥＣを収納した後に、電子部品ＥＣが収納された各収納凹部１２ａの上端開口を塞ぐようにキャリアテープ１１の上面一部を帯状のカバーテープ２０によって覆うことによって製造されている。
【００３５】
カバーテープ２０は、収納状態が外から確認できるように好ましくは透明または半透明である。また、カバーテープ２０は感熱タイプと感圧タイプのいずれであってもよく、少なくとも幅方向両側がテープ本体１１の上面に付着している。つまり、図１および図２に示したキャリアテープ１０を使用すれば、図４に示した電子部品収納テープ３０を的確に製造することができる。
【００３６】
《第２実施形態》
図５は、本発明の第２実施形態に係るキャリアテープ１０-1を示す。
【００３７】
図５に示したキャリアテープ１０-1が、図１および図２に示したキャリアテープ１０と異なるところは、案内凹部１２ｂの幅Ｗ２を小さくして底面１２ｂ１の傾斜角度を大きくした点と、案内凹部１２ｂの幅Ｗ２を小さくしたことに伴ってマージン部（符号省略）の幅Ｗｍが大きくなっている点にある。他の構成は図１および図２に示したキャリアテープ１０と同じであるためその説明を省略する。
【００３８】
このキャリアテープ１０-1であっても、図１および図２に示したキャリアテープ１０と同様に、収納凹部１２ａに横から電子部品ＥＣを挿入する方法を適切に行うことができる他、図４に示した電子部品収納テープ３０と同様の電子部品収納テープを的確に製造することができる。
【００３９】
図５に示したキャリアテープ１０-1は、図１および図２に示したキャリアテープ１０と比べて、案内凹部１２ｂの底面１２ｂ１の傾斜角度が大きいため、図６に示したように、部品通路ＩＧａの傾きが図３に示した部品通路ＩＧａの傾きと同じ場合には、部品通路ＩＧａの傾きよりも案内凹部１２ｂの底面１２ｂ１の傾きが大きくなるとともに、部品通路ＩＧａの入口側の横断面形よりも出口側（案内凹部１２ｂの底面１２ｂ１が存する箇所）の横断面形が大きくなる。そのため、部品通路ＩＧａから案内凹部１２ｂへの電子部品ＥＣの送り込み、ならびに、案内凹部１２ｂから収納凹部１２ａへの電子部品ＥＣの送り込みをスムースに行うことができる。
【００４０】
なお、図５に示したキャリアテープ１０-1の場合も、電子部品ＥＣの質量が小さいことやサイズが小さいこと等を原因として、案内凹部１２ｂにおける電子部品ＥＣの滑動や案内凹部１２ｂから収納凹部１２ａへの電子部品ＥＣの送り込みがスムースに行われないときには、部品ガイドＩＧの部品通路ＩＧａが存しない部分（図６の右側部分）の下面とキャリアテープ１０の上面とのクリアランス、あるいは、部品ガイドＩＧの前記部分に別途設けた吸引通路を通じて部品通路ＩＧａに負圧を作用させ、この負圧によって部品通路ＩＧａ内の電子部品ＥＣを案内凹部１２ｂおよび収納凹部１２ａに引き込むようにするとよい。
【００４１】
《第３実施形態》
図７は、本発明の第３実施形態に係るキャリアテープ１０-2を示す。
【００４２】
図７に示したキャリアテープ１０-2が、図１および図２に示したキャリアテープ１０と異なるところは、キャリアテープ１０-2自体が圧縮加工タイプである点にある。このキャリアテープ１０-2の材料は例えば紙、合成紙等であり、収納凹部１２ａと案内凹部１２ｂが圧縮加工によって形成されているためキャリアテープ１０-2の高さＨは幅方向において略一定である。他の構成は図１および図２に示したキャリアテープ１０と同じであるためその説明を省略する。
【００４３】
このキャリアテープ１０-2であっても、図１および図２に示したキャリアテープ１０と同様に、収納凹部１２ａに横から電子部品ＥＣを挿入する方法を適切に行うことができる他、図４に示した電子部品収納テープ３０と同様の電子部品収納テープを的確に製造することができる。
【００４４】
《他の実施形態》
【００４５】
（ｍ１）前述の各実施形態では、部品収納部１２の収納凹部１２ａとして第１寸法＞第２寸法＝第３寸法の関係を有する略直方体状の電子部品ＥＣに対応したもの示したが、収納凹部１２ａの深さＤ１を変更すれば、第１寸法＞第２寸法＞第３寸法の関係を有する略直方体状の電子部品や、第１寸法＞第３寸法＞第２寸法の関係を有する略直方体状の電子部品を挿入対象（収納対象）とすることができる。収納凹部１２ａの深さＤ１を変更しても、収納凹部１２ａに横から電子部品ＥＣを挿入する方法を適切に行うことができる他、図４に示した電子部品収納テープ３０と同様の電子部品収納テープを的確に製造することができる。
【００４６】
（ｍ２）前述の各実施形態では、部品収納部１２の配置間隔（ピッチＰ１、図１を参照）を送り孔１３の配置間隔（ピッチＰ２、図１を参照）の１／２としたものを示したが、挿入対象（収納対象）となる電子部品のサイズに応じて各ピッチＰ１およびＰ２を変更してもよい。各ピッチＰ１およびＰ２を変更しても、収納凹部１２ａに横から電子部品ＥＣを挿入する方法を適切に行うことができる他、図４に示した電子部品収納テープ３０と同様の電子部品収納テープを的確に製造することができる。
【００４７】
（ｍ３）前述の各実施形態では、部品収納部１２の案内凹部１２ｂとして底面１２ｂ１が平面から成るものを示したが、底面１２ｂ１を同様の傾きを有する緩やかな曲面（凸曲面や凹曲面等）としても、収納凹部１２ａに横から電子部品ＥＣを挿入する方法を適切に行うことができる他、図４に示した電子部品収納テープ３０と同様の電子部品収納テープを的確に製造することができる。
【００４８】
（ｍ４）前述の各実施形態では、部品収納部１２の案内凹部１２ｂとしてテープ本体１１の上面から収納凹部１２ａの幅方向一側面に向かって長さＬ２が減少する形態を有するものを示したが、案内凹部１２ｂの長さＬ２を一定とし、かつ、この長さＬ２を収納凹部１２ａの長さＬ１と一致させるようにしてもよい。この場合は、案内凹部１２ｂによる姿勢矯正作用は得にくくなるものの、収納凹部１２ａに横から電子部品ＥＣを挿入する方法を適切に行うことができる他、図４に示した電子部品収納テープ３０と同様の電子部品収納テープを的確に製造することができる。
【符号の説明】
【００４９】
１０，１０-1，１０-2…キャリアテープ、１１…テープ本体、１１ａ…幅方向一端縁、１１ｂ…幅方向他端縁、１２…部品収納部、１２ａ…収納凹部、１２ａ１…底面、１２ａ２…側面、Ｗ１…収納凹部の幅、Ｌ１…収納凹部の長さ、Ｄ１…収納凹部の深さ、１２ｂ…案内凹部、１２ｂ１…底面、１２ｂ２…側面、Ｗ２…案内凹部の幅、Ｌ２…案内凹部の長さ、Ｄ２…案内凹部の深さ、２０…カバーシート、３０…電子部品収納テープ。
【図１】
2018024473.tif 000003
【図２】
2018024473.tif 000004
【図３】
2018024473.tif 000005
【図４】
2018024473.tif 000006
【図５】
2018024473.tif 000007
【図６】
2018024473.tif 000008
【図７】
2018024473.tif 000009